(57)【要約】　　　（修正有）【課題】コンピュータメインボディ構造を小型化する。【解決手段】少なくとも一つの光ディスク装置押し出し口と複数の開口を有するケースと、前記ケースの内部に配置され、その上におけるハードディスク装置５と光ディスク装置６とを接続するための第一コネクタ２１と第二コネクタ２３とが間隔をおいて配置されるように設定されるマザーボード２と、マザーボード２に積み重ねて配置され、その背面部にハードディスク装置５を積み重ね配置可能であると共に、その正面部に光ディスク装置６を積み重ね配置可能であり、且つその背面部に第一コネクタ２１と第二コネクタ２２と嵌挿可能な第三コネクタと第四コネクタと、第三コネクタに連結されるハードディスク装置コネクタとを有しつつ、その正面部に第二コネクタ２２に連結される光ディスク装置コネクタを有する。【選択図】　図３
0003097106.tif 000002
【実用新案登録請求の範囲】
【請求項１】
少なくとも一つの光ディスク装置押し出し口と複数の開口を有するケースと、
前記ケースの内部に配置され、その上におけるハードディスク装置と光ディスク装置とを接続するための第一コネクタと第二コネクタとが間隔をおいて配置されるように設定されるマザーボードと、
前記マザーボードに積み重ねて配置され、その背面部にハードディスク装置を積み重ね配置可能であると共に、その正面部に光ディスク装置を積み重ね配置可能であり、且つその背面部に前記第一コネクタと前記第二コネクタと嵌挿可能な第三コネクタと第四コネクタと、前記第三コネクタに連結されるハードディスク装置コネクタとを有しつつ、その正面部に前記第二コネクタに連結される光ディスク装置コネクタを有し、前記ハードディスクコネクタがハードディスク装置のコネクタと相互に嵌挿できると共に、前記光ディスク装置コネクタが光ディスク装置のコネクタと相互に嵌挿できるように設定される介在連結電気回路基板と、
前記介在連結電気回路基板と前記光ディスク装置との間に積み重ね配置され、光ディスク装置とハードディスク装置とを連結するための支持フレームとを少なくとも備えることを特徴とするコンピュータメインボディ構造。
【請求項２】
前記介在連結電気回路基板と前記支持フレームの表面に複数の対応しあう穿孔同士が形成されると共に、それらの穿孔同士にネジが配置され、それらのネジによってハードディスク装置の表面の複数の標準的な螺孔を螺合することを特徴とする請求項１に記載のコンピュータメインボディ構造。
【請求項３】
前記マザーボードにおける第一コネクタと第二コネクタとが間隔をおいて平行に配置されることを特徴とする請求項１に記載のコンピュータメインボディ構造。
【考案の詳細な説明】
【０００１】
【考案の属する技術分野】
本考案は、コンピュータ・メイン・ボディ構造に係わり、特にマイクロコンピュータメインボディに応用され、積み重ね構造の設計を採用することによって体積を大幅に縮小するコンピュータメインボディ構造に関するものである。
【０００２】
【従来の技術】
（考案の背景）
情報時代の快速的な捗りに従って、電子化情報処理が既に普遍化されつつ、離脱しようとしても離脱できないようにわれわれの周りに回っており、特に情報を電子化することが従来の情報保存方式をすべて変えるようになり、特に保存空間の形式の変更が更なる微細化の方向へ進めていくことが予見できる。
【０００３】
前記情報保存（レコーディング・メディア）空間の形式の大幅な変化は、紙からマイクロフィルム、ハードディスク、各種類のソフトディスク、身につけるディスクなどを経て、既に体積を数千、数万倍にも及ぶが、それぞれの形式の電子化情報を処理するための設備の小型化はそのステップが明らかに酷く緩慢しており、パーソナルコンピュータのメイン・ボディを例とする場合、近十年間の発展中において、デスクトップコンピュータのメインボディが完全にいずれの縮小の跡も見られなく、ノートブックタイプコンピュータが誕生していても、その全体の体積の縮小倍率も一桁の倍数に過ぎなく、レコーディングメディアの発展とかなりの差を有するようになっている。すべてのパーソナルコンピュータのユーザーに対してはコンピュータのメインボディを縮小できることが共通の期待であると信じており、それは仕事場所のスペースの占用率を大幅に減少できるからである。
【０００４】
本考案の考案者は、マーケットにおけるコンピュータ装置のメインボディ構造を観察した結果、その体積が膨大となる原因として、以下の数点が挙げられる：つまり、放熱部材の体積が大きく、使用されるパワーサプライヤーやソフトディスク装置やマザーボードなどの体積が大きく、部材のアレンジが不当になると共に、それぞれのタイプの配線列を使って接続を実行することなどが要因である。その要因のうち、特に部材のアレンジが不当で、且つそれぞれのタイプの配線列を使用して接続をすることが、その占用するスペースが最も大きく、例えば、マザーボードが配線列を介して光ディスク装置とハードディスク装置とレコーディング装置とパワーサプライヤーとソフトディスク装置などを接続し、その浪費した空間の大きさがマザーボードと光ディスク装置とハードディスク装置などの体積よりも遥かに大きく、これはコンピュータのメインボディが膨大になる主要な原因であると認められる。
【０００５】
そのため、小型のマザーボードと外部接続式の変圧器を使用する構成の場合では、配線列を使用する量を減少できると共に、それぞれの部材の配置空間関係を密集的にならせることができ、スペースの浪費を減少でき、コンピュータのメインボディの体積を減少できることが疑いのないことである。
【０００６】
そのため、本考案の考案者は幾度も分析研究した結果、既に小型化のマザーボードを考案した。そのため、このマザーボードの体積に基づいてそれぞれの部材のアレンジ構成を考案した結果、実行可能で且つ前記諸課題を解消できる考案の理念を獲得した。それは、積み重ね構成に介在接続電気回路基板のことを合せ、部材をマザーボードに整合組立、その設計による場合、配線列による接続のことをなくすことができ、スペースの浪費を減少でき、コンピュータのメインボディを大幅に減少できる効果を得られる。
【０００７】
【考案が解決しようとする課題】
（考案の目的）
そのため、本考案は、小型化コンピュータメインボディに利用され、積み重ね構成を採用することによって体積を大幅に減少できる、コンピュータメインボディ構造を提供することをその主要な目的とする。
【０００８】
【課題を解決するための手段】
（考案の開示）
前記の目的を図るために、本考案は、少なくとも一つの光ディスク装置押し出し口と複数の開口を有するケースと、前記ケースの内部に配置され、その上におけるハードディスク装置と光ディスク装置とを接続するための第一コネクタと第二コネクタとが間隔をおいて配置されるように設定されるマザーボードと、前記マザーボードに積み重ねて配置され、その背面部にハードディスク装置を積み重ね配置可能であると共に、その正面部に光ディスク装置を積み重ね配置可能であり、且つその背面部に前記第一コネクタと前記第二コネクタと嵌挿可能な第三コネクタと第四コネクタと、前記第三コネクタに連結されるハードディスク装置コネクタとを有しつつ、その正面部に前記第二コネクタに連結される光ディスク装置コネクタを有し、前記ハードディスクコネクタがハードディスク装置のコネクタと相互に嵌挿できると共に、前記光ディスク装置コネクタが光ディスク装置のコネクタと相互に嵌挿できるように設定される介在連結電気回路基板と、前記介在連結電気回路基板と前記光ディスク装置との間に積み重ね配置され、光ディスク装置とハードディスク装置とを連結するための支持フレームとを少なくとも備える、コンピュータメインボディ構造を提供する。
【０００９】
（作用）
前記の構成による場合、積み重ね構成を採用するため、スペースの浪費を減少でき、コンピュータメインボディの体積を大幅に縮小できる。且つ、そのうち、前記介在接続電気回路基板と前記支持フレームの表面にはすべて複数の対応しあう穿孔が加工形成され、それらにネジ同士を配置でき、それらのネジ同士によってハードディスク装置の表面における複数の標準的螺孔同士に螺着できる。また、前記支持フレームの両側に折り曲げ板が配置され、それらに光ディスク装置の両側を挟持できる。且つそれらの二つの折り曲げ板同士の表面には複数のネジを配置するための穿孔が形成され、それらを介して光ディスク装置の両側の複数の標準的螺孔同士と螺着結合できる。
【００１０】
本考案の目的と特徴と効果とをさらに詳細的に説明するために、添付図面を参照しながら、本考案の好適な実施の形態を具体的に説明する。
【００１１】
【考案の実施の形態】
（考案の好適な実施の形態）
図１ないし図３に示すのは、それぞれ本考案の構造を示す外見説明図と一部構造を示す分解説明図とその全体構造を示す分解説明図である。それぞれの図面に示すように、本考案によるコンピュータメインボディ構造には、ケース１と、マザーボード２と、介在接続電気回路基板３と、支持フレーム４と、ハードディスク装置５と、光ディスク装置６とを有し、そのうち、前記ケース１には一つの光ディスク装置押し出し口１１と複数のマザーボード２の前面部におけるそれぞれのコネクタに対応する開口同士を有し、且つその背面部に少なくとも一つのアクティブカバー１２が配置され、当該アクティブカバー１２には前記マザーボード２の後端部におけるそれぞれのコネクタに対応するための開口と複数個の排気孔同士を有し、そのうち、前記排気孔同士の配置は本考案の小型化のコンピュータメインボディ構造に対応して放熱ファンを利用して熱エネルギーを強引に放熱させると共に、熱エネルギーを排気孔まで案内して排出させるので、その放熱効率を向上できる。
【００１２】
また、前記マザーボード２は前記ケース１の内部に配置され、それには現有のマザーボードの備えるそれぞれのタイプのコネクタとシリアルバスとそれぞれのタイプのコントロールチップを有するほか、ハードディスク装置５と光ディスク装置６とに接続するための第一コネクタ２１と第二コネクタ２２とを間隔をおいて平行に配置するとともに、その間隔をハードディスク装置５の幅よりやや大きくなるように設定する。
【００１３】
また、前記介在接続電気回路基板３が前記マザーボード２に積み重ねられ、その背面部にハードディスク装置５を組立てられる。
【００１４】
また、前記支持フレーム４が前記介在接続電気回路基板３に積み重ねられ、その上に光ディスク装置６を組立てられる。
【００１５】
前記の諸部材によって本考案のコンピュータメインボディ構造を形成するが、その積み重ね構造の細部のことを他の図面に合わせつつ以下に詳細に説明する。
【００１６】
図４と図５はそれぞれ本考案の介在接続電気回路基板の正面斜視図と裏面斜視図であり、それぞれの図面に示すように、前記介在接続電気回路基板３の背面部にそれぞれ前記第一コネクタ２１と第二コネクタ２２（図２参照）と相互に嵌挿できると共に、対応し合うように平行に配置される第三コネクタ３１と第四コネクタ３２（その間隔距離がハードディスク装置５の幅よりやや大きくなるように設定される）と、前記第三コネクタ３１に接続されるハードディスク装置コネクタ３３とが設けられると共に、当該介在接続電気回路基板３の正面部には前記第四コネクタ３２に接続される光ディスク装置コネクタ３４が設けられる。前記ハードディスク装置コネクタ３３がハードディスク装置５のコネクタ５１と相互に嵌挿でき（図６参照）、また、前記光ディスク装置コネクタ３４が光ディスク装置６のコネクタ６１と相互に嵌挿できる。他に、前記介在接続電気回路基板３の表面に複数の穿孔３５が形成され、それらがハードディスク装置５の表面における複数の標準的螺孔５２と対応しあう（図３参照）。
【００１７】
図７に示すのは本考案の支持フレームを示す斜視図であり、図に示すように、当該支持フレーム４の表面における前記介在接続電気回路基板３のそれぞれの穿孔３５に対応する位置に複数の穿孔４１が形成され、他に、支持フレーム４の両側にすべて折り曲げ板４４が配置され、それらの折り曲げ板４４の間のギャップが光ディスク装置６の幅と同じように設定される（図３参照）。それらの間に光ディスク装置６の両側を挟持でき、且つ二つの折り曲げ板４４の表面に複数の穿孔４４１が形成され、ネジ４４２を配置することに利用でき、光ディスク装置６の両側の複数の標準的螺孔６２を螺着固定できる。
【００１８】
前記のそれぞれの部材の組立手順が大体下記の通りである（図１と図２と図３と図５参照）：
ステップ１：ハードディスク装置５を介在接続電気回路基板３の背面部に配置すると共に、そのコネクタ５１とハードディスク装置コネクタ３３とを嵌挿結合し、ハードディスク装置５の表面の四つの標準的螺孔５２を介在接続電気回路基板３における対応する穿孔３５に位置合わせてから、それらの構造物全体を反転する。
ステップ２：支持フレーム４を前記介在接続電気回路基板３に積み重ね、四本のネジ４２によって前記穿孔４１と前記穿孔３５を貫通し、ハードディスク装置５の表面における四つの標準的螺孔５２に螺合することによって支持フレーム４を介在接続電気回路基板３の正面部に固定すると共に、ハードディスク装置５を結合固定する。
ステップ３：介在接続電気回路基板３をマザーボード２に積み重ね、第三コネクタ３１と第四コネクタ３２とをそれぞれマザーボード２における第一コネクタ２１と第二コネクタ２２に位置合わせつつ嵌挿しあうことによって介在電気回路基板３に導通させると共に、マザーボード２に固定させるようにする。
ステップ４：光ディスク装置６を支持フレーム４に積み重ねると共に、そのコネクタ６１と光ディスク装置コネクタ３４とを相互に嵌挿しあい、四つのネジ４４２を前記穿孔４４１に通してから光ディスク装置６の両側の四つの標準的螺孔６２に螺着結合し、光ディスク装置６に導通させると共に、対応的に介在電気回路基板３の正面部（支持フレーム４）に固定させる。
ステップ５：マザーボード２をケース１の内部に挿入すると共に、光ディスク装置６の前面部を光ディスク装置押し出し口１１に位置合わせさせると共に、マザーボード２の前面部におけるそれぞれのコネクタをケース１の前面部におけるそれぞれの開口に位置合わせさせ、それから、カバー１２をケース１の後端部に螺着固定することによってマザーボード２の後端部におけるそれぞれのタイプのコネクタをカバー１２の表面におけるそれぞれの開口に位置合わせさせると、全体の組立を終了する。
【００１９】
前記の組立ステップにおいて、ステップ３が最後に移ってもよく、組立の利便性には影響しない。
【００２０】
【考案の効果】
前記の本考案のコンピュータメインボディ構造による場合、一般のノートブックタイプコンピュータに使用される外部接続式変圧器を合わせる場合、内部において接続用の配線列を要しなく、スペースの浪費を減少でき、コンピュータメインボディの体積を大幅に減少でき、小型化コンピュータメインボディのニーズに対応できる。本考案は既に設計開発を終了し、既に成功に製造した。その実際のサイズが２４．８ｃｍ＊１４．８ｃｍ＊４．２ｃｍ（添付一参照）であり、大体一般のデスクトップコンピュータのメインボディに取り付けられる光ディスク装置のサイズと同様であり、従来のデスクトップコンピュータのメインボディの４５ｃｍ＊２０ｃｍ＊４０ｃｍと比較してその体積がほぼ２３倍縮小され、確実的に体積を縮小する効果を達成し、高度の産業上利用性と新規性と進歩性を有することが疑いのないことである。
【００２１】
また、前記に詳細的に説明した具体的な構造は単に本考案の実施可能な実施例に過ぎなく、本考案の主張範囲を狭義的に制限するものではなく、本考案の要旨に基づいて実施される相同効果の変化がすべて本考案の主張範囲内に含まれるべきことが言うまでもないことである。
【図面の簡単な説明】
【図１】本考案の外見構造を示す説明図である。
【図２】本考案の一部の構造を示す分解図である。
【図３】本考案の全体の構造を示す分解図である。
【図４】本考案の介在接続電気回路基板の正面部を示す斜視図である。
【図５】本考案の介在接続電気回路基板の背面部を示す斜視図である。
【図６】本考案の介在接続電気回路基板とハードディスク装置との組立関係を示す説明図である。
【図７】本考案の支持フレームを示す斜視図である。
【符号の説明】
１　　ケース
２　　マザーボード
３　　介在接続電気回路基板
４　　支持フレーム
５　　ハードディスク装置
６　　光ディスク装置
１１　　光ディスク装置押し出し口
１２　　カバー
２１　　第一コネクタ
２２　　第二コネクタ
３１　　第三コネクタ
３２　　第四コネクタ
３３　　ハードディスク装置コネクタ
３４　　光ディスク装置コネクタ
３５　　穿孔
４１　　穿孔
４２　　ネジ
４４　　折り曲げ板
５１　　コネクタ
５２　　標準的螺孔
６１　　コネクタ
６２　　標準的螺孔
４４１　　穿孔
４４２　　ネジ
【図１】
0003097106.tif 000003
【図２】
0003097106.tif 000004
【図３】
0003097106.tif 000005
【図４】
0003097106.tif 000006
【図５】
0003097106.tif 000007
【図６】
0003097106.tif 000008
【図７】
0003097106.tif 000009